(57)【要約】【課題】パイプの外周面からのボルト頭部の突出量を十分小さくすることが可能なガードパイプ用ボルトを提供する。【解決手段】パイプ用ボルト２０は、支柱１０と、支柱１０の前方に設けられ、直線状に延設された円筒状の複数のパイプ１１及び１２と、パイプ１１及び１２を連結するインナースリーブ１３とから構成され、一定の厚みを持つ板状のボルト頭部２０ａと、ボルト頭部２０ａの下面に固定された棒状のボルト脚部２０ｂとを備え、ボルト脚部２０ｂは、インナースリーブ１３のボルト孔１３ａとパイプ１２のボルト孔１２ａを連通させて構成される連通孔５０に挿入され、ボルト頭部２０ａは、パイプ１２の外周面上に位置し、パイプ１２の外周面に沿って湾曲しており、パイプ１２のボルト孔１２ａ及びボルト頭部２０ａは、パイプ１２の延設方向の幅が延設方向に直交する直交方向の幅より大きい。【選択図】図２
2015113930.tif 000002
【特許請求の範囲】
【請求項１】
支柱と、前記支柱の前方に設けられ、直線状に延設された円筒状の複数のパイプと、前記複数のパイプに両端部が挿入され、前記複数のパイプを連結するインナースリーブとから構成されるガードパイプに用いられるボルトであって、
前記ボルトは、一定の厚みを持つ板状のボルト頭部と、前記頭部の下面に固定された棒状のボルト脚部とを備え、
前記ボルト脚部は、前記インナースリーブのボルト孔と前記パイプのボルト孔とを連通させて構成される連通孔に挿入され、
前記ボルト頭部は、前記パイプの外周面上に位置し、前記パイプの外周面に沿って湾曲しており、
前記パイプのボルト孔及び前記ボルト頭部は、前記パイプの延設方向の幅が前記延設方向に直交する直交方向の幅より大きい
ガードパイプ用ボルト。
【請求項２】
前記ボルト頭部は、前記支柱の前方から上面を見たとき前記延設方向に沿って平坦であり、前記延設方向から下面を見たとき前記パイプの外周面に沿って湾曲している
請求項１に記載のガードパイプ用ボルト。
【発明の詳細な説明】
【技術分野】
【０００１】
本発明は、ガードパイプに用いられるガードパイプ用ボルトに関し、特にガードパイプのパイプ及びインナースリーブを連結するボルトに関する。
【背景技術】
【０００２】
従来から、道路を外れて車両が路外に進行することを抑えるために、道路に沿って車両用防護柵が設けられている。このような車両用防護柵としては、支柱の側面に波型の板材を取り付けて構成されるガードレール、及び支柱の側面にパイプを取り付けて構成されるガードパイプ等がある。ガードパイプは、ガードレールと異なり棒状体より構成されるため、柵により遮蔽される領域が小さいという利点がある。従って、ガードパイプを歩道及び車道の境界（歩車道境界）に設けた場合には、歩道の視認性を高め、高確率で歩道から車道への人等の飛び出しに対応することが可能となる。
【０００３】
このようなガードパイプを開示する文献としては、例えば特許文献１等に記載のものがある。この特許文献１のガードパイプにおいては、支柱の前面に筒形断面形状のブラケットが固定され、このブラケットに円筒状のインナースリーブの中央部がボルトで固定され、さらにインナースリーブの両端部に円筒状のパイプの端部が外嵌され、ボルトで固定されている。
【先行技術文献】
【特許文献】
【０００４】
【特許文献１】特許第３９９８２１０号公報
【発明の概要】
【発明が解決しようとする課題】
【０００５】
ところで、特許文献１に記載の従来のガードパイプでは、パイプをインナースリーブに固定するボルトの頭部（ボルト頭部）がパイプの外周面上に突出して位置しているため、ガードパイプにおいてボルト頭部が目立ったものとなっている。
【０００６】
これに対し、ボルト頭部を薄くすることにより、このようなボルト頭部の突出量を小さくすることも考えられる。しかしながら、ボルト頭部の形状は半球状であり、パイプの外周面とボルト頭部の外周面との形状が異なるため、この方法ではボルト頭部の突出量を十分小さくすることは困難である。具体的には、支柱の前方から見たときボルト頭部は湾曲しているのに対してパイプは平坦であり、パイプの延設方向から見たときボルト頭部及びパイプは共に湾曲しているがそれらの曲率は異なる。
【０００７】
そこで、本発明は、かかる問題点に鑑み、パイプの外周面からのボルト頭部の突出量を十分小さくすることが可能なガードパイプ用ボルトを提供することを目的とする。
【課題を解決するための手段】
【０００８】
上記目的を達成するために、本発明の一態様に係るガードパイプ用ボルトは、支柱と、前記支柱の前方に設けられ、直線状に延設された円筒状の複数のパイプと、前記複数のパイプに両端部が挿入され、前記複数のパイプを連結するインナースリーブとから構成されるガードパイプに用いられるボルトであって、前記ボルトは、一定の厚みを持つ板状のボルト頭部と、前記頭部の下面に固定された棒状のボルト脚部とを備え、前記ボルト脚部は、前記インナースリーブのボルト孔と前記パイプのボルト孔とを連通させて構成される連通孔に挿入され、前記ボルト頭部は、前記パイプの外周面上に位置し、前記パイプの外周面に沿って湾曲しており、前記パイプのボルト孔及び前記ボルト頭部は、前記パイプの延設方向の幅が前記延設方向に直交する直交方向の幅より大きいことを特徴とする。
【０００９】
ここで、前記ボルト頭部は、前記支柱の前方から上面を見たとき前記延設方向に沿って平坦であり、前記延設方向から下面を見たとき前記パイプの外周面に沿って湾曲していてもよい。
【発明の効果】
【００１０】
本発明によれば、パイプの外周面からのボルト頭部の突出量を十分小さくすることが可能なガードパイプ用ボルトを実現することができる。
【図面の簡単な説明】
【００１１】
【図１】本発明の実施形態に係るガードパイプの概略構成を示す正面図である。
【図２】本発明の実施形態に係るガードパイプの詳細な構成を示す正面図である。
【図３】本発明の実施形態に係るガードパイプの詳細な構成を示す断面図である。
【図４】本発明の実施形態に係るガードパイプの詳細な構成を示す上面図である。
【図５】本発明の実施形態に係るパイプ用ボルトの構成を示す図である。
【発明を実施するための形態】
【００１２】
以下、本発明の実施形態について、図面を用いて詳細に説明する。
本発明の実施形態に係るガードパイプ１００について、図１を用いて説明する。
【００１３】
図１は、本実施形態に係るガードパイプ１００の概略構成を示す正面図である。図２は、本実施形態に係るガードパイプ１００の詳細な構成を示す正面図である。図３は、本実施形態に係るガードパイプ１００の詳細な構成を示す断面図（図１のＡＡ’線における断面図）である。図４は、本実施形態に係るガードパイプ１００の詳細な構成を示す平面図である。図５は、本実施形態に係るパイプ用ボルト２０の構成を示す図である。
【００１４】
なお、図１及び図２は支柱１０の前方から見たときのガードパイプ１００の正面図であり、図３はパイプ１１及び１２の延設方向から見たときのガードパイプ１００の断面図であり、図４は支柱１０の上方から見たときのガードパイプ１００の平面図である。また、図５において、（ａ）はパイプ用ボルト２０の側面図、（ｂ）はパイプ用ボルト２０の上面図、（ｃ）はパイプ用ボルト２０の正面図及び背面図、（ｄ）はパイプ用ボルト２０の下面図を示している。
【００１５】
ガードパイプ１００は、地面に垂直方向に延設された支柱１０と、支柱１０の道路側の前面に取り付けられた取付金具１４と、取付金具１４に固定されたインナースリーブ１３と、インナースリーブ１３の両端部に外嵌・固定され、略同一方向（図１〜図４の延設方向）に延設されたパイプ１１及び１２を備えている。
【００１６】
取付金具１４には貫通孔がボルト孔として形成されており、さらにインナースリーブ１３の延設方向の中央部にも貫通孔がボルト孔として形成されている。そして、インナースリーブ１３は、これらボルト孔が連通するように取付金具１４に取り付けられている。
【００１７】
同様に、パイプ１２にも貫通孔がボルト孔１２ａとして形成されており、さらにインナースリーブ１３の一端部にも貫通孔がボルト孔１３ａとして形成されている。そして、パイプ１２は、これらボルト孔１２ａ及び１３ａが連通するようにインナースリーブ１３に取り付けられている。
【００１８】
また同様に、パイプ１１にも貫通孔がボルト孔１２ａとして形成されており、さらにインナースリーブ１３の他端部にも貫通孔がボルト孔１３ａとして形成されている。そして、パイプ１１は、これらボルト孔１２ａ及び１３ａが連通するようにインナースリーブ１３に取り付けられている。
【００１９】
ガードパイプ１００は、さらに、インナースリーブ１３にパイプ１２を固定するためのパイプ用ボルト２０、パイプ用ナット２１及びパイプ用ワッシャ２２と、インナースリーブ１３にパイプ１１を固定するためのパイプ用ボルト３０、パイプ用ナット３１及びパイプ用ワッシャ３２とを備えている。
【００２０】
パイプ用ボルト２０は、パイプ１２の外周面上に配置された板状のボルト頭部２０ａと、このボルト頭部２０ａの下面に上端部が固定され、インナースリーブ１３及びパイプ１２の連通孔５０に挿入された円柱状のボルト脚部２０ｂとを有している。ボルト脚部２０ｂの下端部は、パイプ１２の外周面から突出し、その突出部分にはパイプ用ナット２１が螺結されている。パイプ用ナット２１とパイプ１２の外周面との間には、パイプ用ワッシャ２２が設けられている。
【００２１】
ボルト頭部２０ａは、一定の厚みを持った板状体であり、パイプ１２のボルト孔１２ａの開口縁に引っ掛かるようにパイプ１２の外周面上に配置されている。ボルト頭部２０ａはパイプ１２の外周面に沿った形状を有している。つまり、ボルト頭部２０ａの上面及び下面は、支柱１０の前方（図１〜図４の前方向）から見たとき図１及び図２に示すようにパイプ１２の外周面に沿って平坦であり、パイプ１２の延設方向から見たとき図３に示すようにパイプ１２の外周面に沿って湾曲している。そして、パイプ１２の延設方向から見たとき、ボルト頭部２０ａの上面及び下面の湾曲の曲率は、パイプ１２の外周面の曲率と略同じである。
【００２２】
ボルト頭部２０ａは、平面視楕円形状を持つ板状体をパイプ１２の外周面に沿って短径方向で折り曲げて形成され、図４に示すようにパイプ１２の延設方向に長径方向を持つ平面視楕円形状を有している。このとき、連通孔５０形成におけるパイプ１２の延設方向でのボルト孔１２ａ及び１３ａの位置合わせを考慮して、ボルト孔１２ａはパイプ１２の延設方向に長径方向を持つ平面視楕円形状を有している。そして、ボルト頭部２０ａは、このパイプ１２のボルト孔１２ａを完全に覆うように配置され、パイプ１２のボルト孔１２ａはボルト頭部２０ａで完全に塞がれている。その結果、パイプ１２のボルト孔１２ａを通じて雨水等がパイプ１２内に浸入し、錆等が発生することが抑えられている。同時に、平面視真円形状を持つ板状体をパイプ１２の外周面に沿って折り曲げてボルト頭部２０ａを形成した場合と比較して、短径を持つ分だけボルト頭部２０ａの面積を小さくし、パイプ用ボルト２０の低コスト化を実現している。
【００２３】
ボルト脚部２０ｂの径は、図２に示されるように、ボルト孔１３ａの延設方向における幅と略同じでとされ、ボルト孔１２ａの延設方向における幅はこのボルト孔１３ａの延設方向における幅より大きくされている。従って、ボルト孔１２ａ及び１３ａの連通と、ボルト孔１２ａ及び１３ａの連通孔５０へのボルト脚部２０ｂの挿入を容易に行うことができる。
【００２４】
パイプ用ボルト３０は、パイプ１１の外周面上に配置された板状のボルト頭部と、このボルト頭部の下面に上端部が固定され、インナースリーブ１３及びパイプ１１の連通孔５０に挿入された円柱状のボルト脚部とを有している。パイプ用ボルト３０のボルト脚部の下端部は、パイプ１１の外周面から突出し、その突出部分にはパイプ用ナット３１が螺結されている。このパイプ用ナット３１とパイプ１１の外周面との間には、パイプ用ワッシャ３２が設けられている。
【００２５】
パイプ用ボルト３０のボルト頭部は、一定の厚みを持った板状体であり、パイプ１１のボルト孔１２ａの開口縁に引っ掛かるようにパイプ１１の外周面上に配置されている。パイプ用ボルト３０のボルト頭部はパイプ１１の外周面に沿った形状を有している。
【００２６】
パイプ用ボルト３０のボルト頭部は、平面視楕円形状を持つ板状体をパイプ１１の外周面に沿って短径方向で折り曲げて形成され、平面視楕円形状を有しており、パイプ１１のボルト孔１２ａを完全に覆うように配置されている。このとき、パイプ用ボルト３０のボルト頭部は、パイプ１２のボルト孔１２ａを完全に覆うように配置され、パイプ１１のボルト孔１２ａはパイプ用ボルト３０のボルト頭部で完全に塞がれている。
【００２７】
パイプ用ボルト３０のボルト脚部の径は、インナースリーブ１３のボルト孔１３ａの延設方向における幅と略同じでとされ、パイプ１１のボルト孔１２ａの延設方向における幅はこのインナースリーブ１３のボルト孔１３ａの延設方向における幅より大きくされている。
【００２８】
ガードパイプ１００は、さらに、取付金具１４にインナースリーブ１３を固定するための取付金具用ボルト４０、取付金具用ナット４１及び取付金具用ワッシャ４２を備えている。
【００２９】
取付金具用ボルト４０は、取付金具１４の外周面上に配置された板状のボルト頭部と、このボルト頭部の下面に上端部が固定され、インナースリーブ１３及び取付金具１４の連通孔に挿入された円柱状のボルト脚部とを有している。取付金具用ボルト４０のボルト脚部の下端部は、取付金具１４の外周面から突出し、その突出部分には取付金具用ナット４１が螺結されている。この取付金具用ナット４１と取付金具１４の外周面との間には、取付金具用ワッシャ４２が設けられている。
【００３０】
取付金具用ボルト４０のボルト頭部は、一定の厚みを持った板状体であり、取付金具１４のボルト孔の開口縁に引っ掛かるように取付金具１４の外周面上に配置されている。取付金具用ボルト４０のボルト頭部は取付金具１４の外周面に沿った形状を有している。
【００３１】
取付金具用ボルト４０のボルト頭部は、平面視楕円形状を持つ板状体を取付金具１４の外周面に沿って短径方向で折り曲げて形成され、平面視楕円形状を有しており、取付金具１４のボルト孔を完全に覆うように配置されている。
【００３２】
取付金具用ボルト４０のボルト脚部の径は、インナースリーブ１３のボルト孔の延設方向における幅と略同じでとされ、取付金具１４のボルト孔の延設方向における幅はこのインナースリーブ１３のボルト孔の延設方向における幅より大きくされている。
【００３３】
以上のように本実施形態のパイプ用ボルト２０は、支柱１０と、支柱１０の前方に設けられ、直線状に延設された円筒状の複数のパイプ１１及び１２と、パイプ１１及び１２に両端部が挿入され、パイプ１１及び１２を連結するインナースリーブ１３とから構成されるガードパイプ１００に用いられるガードパイプ用ボルトである。そして、パイプ用ボルト２０は、一定の厚みを持つ板状のボルト頭部２０ａと、ボルト頭部２０ａの下面に固定された棒状のボルト脚部２０ｂとを備え、ボルト脚部２０ｂは、インナースリーブ１３のボルト孔１３ａとパイプ１２のボルト孔１２ａとを連通させて構成される連通孔５０に挿入される。そして、ボルト頭部２０ａは、パイプ１２の外周面上に位置し、パイプ１２の外周面に沿って湾曲している。そして、パイプ１２のボルト孔１２ａ及びボルト頭部２０ａは、パイプ１２の延設方向の幅がこの延設方向に直交する支柱１０の前方方向（図１〜図４の前方向）の幅より大きい。具体的に、ボルト頭部２０ａは、支柱１０の前方から上面を見たときパイプ１２の延設方向に沿って平坦であり、パイプ１２の延設方向から下面を見たときパイプ１２の外周面に沿って湾曲している。このような構成により、ボルト頭部２０ａが一定の厚みを持つ板状で、パイプ１２の外周面に沿って湾曲しているため、パイプ１２の外周面からのボルト頭部２０ａの突出量を十分小さくすることが可能なガードパイプ用ボルトを実現することができる。また、パイプ１２のボルト孔１２ａがパイプ１２の延設方向で幅広に形成されるので、連通孔５０形成におけるパイプ１２の延設方向でのボルト孔１２ａ及び１３ａの位置合わせが容易なガードパイプ用ボルトを実現することができる。このとき、ボルト孔１２ａに合わせてボルト頭部２０ａもパイプ１２の延設方向で幅広に形成されるので、ボルト孔１２ａをボルト頭部２０ａで完全に覆い、ボルト孔１２ａを通じて雨水等がパイプ１２内に浸入し、錆等が発生する事態は抑えられる。また、ボルト頭部２０ａが支柱１０の前方方向に短径を持つ分だけボルト頭部２０ａの面積が小さくなるので、パイプ用ボルト２０が高コスト化する事態も抑えられる。
【００３４】
以上、本発明のガードパイプ用ボルトについて、実施形態に基づいて説明したが、本発明は、この実施形態に限定されるものではない。本発明の要旨を逸脱しない範囲内で当業者が思いつく各種変形を施したものも本発明の範囲内に含まれる。
【００３５】
例えば、上記実施形態において、パイプ用ボルトのボルト頭部は、支柱の上方から見たとき楕円形状を有するとしたが、パイプの延設方向の幅がこの延設方向に直交する直交方向、例えばパイプの前方向の幅より大きければ、レーストラック形状、多角形形状及び円形形状等の他の形状を有してもよい。
【００３６】
同様に、パイプのボルト孔についても、支柱の上方から見たとき楕円形状を有するとしたが、パイプの延設方向の幅がこの延設方向に直交する直交方向、例えばパイプの前方向の幅より大きければ、レーストラック形状、多角形形状及び円形形状等の他の形状を有してもよい。
【産業上の利用可能性】
【００３７】
本発明は、パイプ及びインナースリーブを連結するガードパイプ用ボルト等において広く利用することができる。
【符号の説明】
【００３８】
１０    支柱
１１、１２    パイプ
１２ａ、１３ａ    ボルト孔
１３    インナースリーブ
１４    取付金具
２０、３０    パイプ用ボルト
２０ａ    ボルト頭部
２０ｂ    ボルト脚部
２１、３１    パイプ用ナット
２２、３２    パイプ用ワッシャ
４０    取付金具用ボルト
４１    取付金具用ナット
４２    取付金具用ワッシャ
５０    連通孔
１００    ガードパイプ１００
【図１】
2015113930.tif 000003
【図２】
2015113930.tif 000004
【図３】
2015113930.tif 000005
【図４】
2015113930.tif 000006
【図５】
2015113930.tif 000007